(57)【要約】【課題】文字や図形などの視認情報とデジタルデータとを一体に記録する。【解決手段】印字用紙１３にＲＦＩＤタグ１４を設ける。一方、プリンタ機能およびファクシミリ機能を有する複写機に原稿用のリーダライタおよび印字用紙用のリーダライタを設け、パソコンなどの外部機器から送信されてきた文字データやグラフィックデータなどに基づいて印字用紙に視認情報を印字すると共に、デジタルデータとして記録しておくべきデータはＲＦＩＤタグ１４に書き込む。【選択図】図１
2006306112.tif 000002
【特許請求の範囲】
【請求項１】
与えられたデータに基づいて文字や図形などを印字用紙に印字するプリンタにおいて、
データの読み書きが可能でそのデータを電波によって送受信するＲＦＩＤタグにデータを書き込む書込手段と、
印字用紙を供給するための複数のトレーと、
前記複数のトレーのうち、前記ＲＦＩＤタグを付属してなるＲＦＩＤタグ付き印字用紙を収容する所定のトレー内に印字用紙があることを検出する用紙センサーとを備え、
与えられたデータ中に前記ＲＦＩＤタグに書き込むデータが含まれていたとき、前記所定のトレー内に前記ＲＦＩＤタグ付き印字用紙があることを前記用紙センサーが検出した場合は、前記ＲＦＩＤタグ付き印字用紙の供給を受けて当該印字用紙に文字や図形などを印字すると共に、当該印字用紙のＲＦＩＤタグに前記書込手段によってデータを書き込むことを特徴とするプリンタ。
【請求項２】
前記所定のトレー内に前記ＲＦＩＤタグ付き印字用紙がないことを前記用紙センサーが検出した場合には、前記通常の印字用紙の供給を受けて、前記ＲＦＩＤタグに書き込むべきデータについては、これを二次元コード化して当該供給された印字用紙に印字することを特徴とする請求項１記載のプリンタ。
【請求項３】
印字する人のＩＤ情報を入力する入力手段と、前記ＲＦＩＤタグ付き印字用紙のＲＦＩＤタグにデータを書き込む書込手段とを備え、
前記入力手段から入力された印字する人のＩＤ情報を、印字する前記ＲＦＩＤタグ付き印字用紙のＲＦＩＤタグに前記書込手段によって書き込むことを特徴とする請求項１または２記載のプリンタ。
【請求項４】
印字操作する人のＩＤ情報を入力する入力手段を備え、
前記与えられたデータに印字許可情報が存在する場合、当該印字許可情報と前記入力手段から入力されたＩＤ情報とを比較し、印字操作する人が印字を許可された人であるとき、印字を実行するように構成されていることを特徴とする請求項１ないし３のいずれかに記載のプリンタ。
【発明の詳細な説明】
【技術分野】
【０００１】
本発明は、文字や図形などの記録に併せてデジタルデータを記録できるプリンタに関する。
【背景技術】
【０００２】
最近、文字や図形など、人が目で見て認識できる情報（以下、視認情報）とコンピュータが扱うデジタル情報とを一体にして取り扱いたいという要求がある。例えば、ソフトウエアを頒布する場合、マニュアルがなければソフトウエアの取り扱いが困難である。このような場合、文字や図形などを印刷できると共に、デジタルデータを記録できる媒体があれば、ソフトウエアとそのマニュアルとを一体化できる。
【発明の開示】
【発明が解決しようとする課題】
【０００３】
しかしながら、現在では、文字や図形などの視認情報とデジタル情報とを一体にできる媒体はなく、上記の要求に対応することはできない。
本発明は上記の事情に鑑みてなされたもので、その目的は、文字や図形などの記録に併せてデジタルデータを記録できる媒体に文字や図形を印刷すると共にデジタルデータを記録できるプリンタ置を提供するにある。
【課題を解決するための手段】
【０００４】
請求項１記載のプリンタによれば、デジタルデータを記録可能なＲＦＩＤタグが付属されたＲＦＩＤタグ付き印字用紙を使用し、その印字用紙に文字や図形などの視覚情報を印字できると共に、デジタル情報を書き込むことができる。
【０００５】
請求項２記載のプリンタによれば、ＲＦＩＤタグ付き印字用紙がトレーに収容されていない場合、ＲＦＩＤタグに記録するデータについては、通常の印字用紙に二次元コード化して印字するので、ＲＦＩＤタグ付き印字用紙がなくなったような場合に便利である。
【０００６】
請求項３記載のプリンタによれば、印字操作する人のＩＤ情報がＲＦＩＤタグ付き印字用紙のＲＦＩＤタグに書き込まれるので、不正な印字を抑制できる。
請求項４記載のプリンタによれば、印字操作する人のＩＤ情報を印字許可情報と照合して印字操作の資格を有する人か否かを判断するので、資格のない人によって印字されてしまうおそれがない。
【発明を実施するための最良の形態】
【０００７】
以下、本発明をプリンタおよびファクシミリ機能付きの複写機に適用した一実施例を図面に基づいて説明する。
図２には、複写機の全体構成が概略的に示されている。同図において、複写機本体１の上部には、蓋２が開閉可能に設けられている。この蓋２には、自動原稿送り装置（図示せず）が装備され、蓋２の原稿置き台３に置かれた原稿は、原稿自動送り装置によって自動的に蓋２内の原稿送り通路４（便宜上、図２に破線の矢印で示す）に送り込まれて原稿排出台５へと排出される。そして、蓋２内には、原稿読取手段としてのスキャナ６が設けられており、上記の原稿送り通路４を通る原稿に記録された文字や図形などの視認情報を光学的に読み取る。
【０００８】
なお、複写機本体１内には、蓋２のスキャナ６とは別のスキャナ（図示せず）が設けられている。そして、蓋２を開いて複写機本体１の上面のガラス面に原稿を置くと、その原稿に記録された文字や図形などが複写機本体１内のスキャナによって読み取られるようになっている。
【０００９】
さて、複写機本体１内には、印字用紙を収容する複数個のトレー７が出し入れ可能に設けられている。なお、複写機本体１には、各トレー７内に用紙があるか否かを検出する用紙センサー（図示せず）が設けられている。これらトレー７に収容された印字用紙は、自動給紙装置８によって自動的に印字用紙送り通路９（便宜上、図２に実線の矢印で示す）に送り込まれて印字用紙排出トレー１０に排出されるようになっている。そして、印字用紙送り通路９中に、印字手段として例えばレーザ静電式転写方式のプリント部１１が配置されている。このレーザ静電式転写方式のプリント部１１は、レーザ光を印字情報に応じてオンオフさせながら感光ドラム１２上に走査して潜像を形成し、その後、感光ドラム１２の露光部にトナーを付着させて実像を形成し、その実像を印字用紙に転写して焼き付けるという周知の方法で印字用紙に印字するものである。
【００１０】
上記複数個のトレー７のうち、所定の１個のトレーには、図１に示すＲＦＩＤタグ付き印字用紙１３が収納されている。この印字用紙１３には、データを読み書き可能で、そのデータを電波によって送受信するＲＦＩＤタグ１４が設けられている。一方、蓋２の原稿送り通路４の近くには、読取手段としての第１のリーダライタ１５が設けられ、原稿排出台５には、書込手段としての第２のリーダライタ１６が設けられている。また、複写機本体１の印字用紙送り通路９の近くには、感光ドラム１２よりもトレー７側に位置して書込手段としての第３のリーダライタ１７が設けられている。
【００１１】
ここで、ＲＦＩＤタグ１２および第１〜第３のリーダライタ１５〜１７の電気的構成を説明する。まず、ＲＦＩＤタグ１４は、図３に示すように、電波信号を送受信するためのアンテナ用コイル１８と、共振コンデンサ１９と、変復調回路２０と、制御手段としてのＣＰＵ２１と、整流・平滑回路２２と、メモリ部を構成するＲＯＭ２３および情報を読み書き可能な記憶素子、例えば消去可能な不揮発性メモリとしてのＥＥＰＲＯＭ２４とから構成されている。
【００１２】
アンテナ用コイル１８は、共振コンデンサ１９と並列に接続されて共振回路を構成し、リーダライタ１５〜１７から所定の高周波数の電力用電波信号が送信されてくると、これを受信して整流・平滑回路２２に供給する。整流・平滑回路２２は、動作用電源回路を構成するもので、共振回路から送信されてきた電力用電波信号を整流し、平滑化して一定電圧の直流電力（動作用電力）にしてＣＰＵ２１などに供給する。
【００１３】
リーダライタ１５〜１７から送信されてくる信号は、電力用電波信号に重畳して送信されるようになっており、その信号は、変復調回路２０により復調されてＣＰＵ２１に与えられる。ＣＰＵ２１は、ＲＯＭ２３に記憶された動作プログラムに従って動作するもので、変復調回路２０から入力される信号に応じた処理を実行し、受信したデータをＥＥＰＲＯＭ２４に書き込んだり、ＥＥＰＲＯＭ２４からデータを読み出して変復調回路２０により変調し、アンテナ用コイル１８から電波信号として送信したりする。
【００１４】
なお、以上のようなＲＦＩＤタグ１４において、アンテナ用コイル１８はフィルムに印刷手段によって設けられ、変復調開路２０、ＣＰＵ２１、整流・平滑回路２２、ＲＯＭ２３、ＥＥＰＲＯＭ２４は小チップにして上記フィルムに実装され、そして該フィルムは印字用紙１３の中に埋め込まれている。
【００１５】
一方、リーダライタ１５〜１７は、図４に示すように、送信アンテナ用コイル２５を備えた送信部２６および受信アンテナ用コイル２７を備えた受信部２８からなり、それら送信部２６および受信部２８は複写機全体を制御する制御手段としての制御回路２９に接続されている。そして、ＩＤタグ１４と通信する場合、まず、制御回路２９は、キャリア信号を送信部２６で変調して電力用電波信号として送信アンテナ用コイル２５から送信し、その後、送信すべきデータ信号を電力用電波信号に重畳するように送信部２６で変調して送信アンテナ用コイル２５から送信する。ＩＤタグ１４から送信された電波信号については、これを受信アンテナ用コイル２７で受信し、受信部２８で復調してデータとして弁別するようになっている。
【００１６】
図５は複写機全体の電気的構成の概略を示す。同図のように、制御回路２９には、上記第１〜第３のリーダライタ１５〜１７の他、前記スキャナ６、前記プリント部１１、符号化／復号化部３０、データ通信制御部３１、ファクシミリ送信部と受信部を兼用するファクシミリ通信制御部３２、記憶装置３３、操作部３４、液晶表示部３５などが接続されている。
【００１７】
また、制御回路２９は、ＣＰＵ、ＲＯＭ、ＲＡＭなどを備えたコンピュータシステムにより構成され、その記憶手段としてのＲＯＭには、各種の制御アルゴリズムやデータを二次元コード、例えばＱＲコードに変換するアルゴリズムなどを記憶している。
【００１８】
符号化／復号化部３０は、スキャナ６が読み込んだ画像情報を所定の符号化方式に従って符号化してファクシミリ信号とすると共に、受信したファクシミリ信号を復号化する。データ通信制御部３１は、外部機器との間での通信を制御する。
【００１９】
ファクシミリ通信制御部３２は、通信回線の制御を行う網制御部３６を介して電話回線などから構成される通信網３７に接続され、相手ファクシミリ装置との間でファクシミリ信号を交換し、ファクシミリ通信を実行する。このファクシミリ通信制御部３２は、モデム３８を有し、相手ファクシミリ装置へ送る送信信号を変調し、相手ファクシミリからの受信信号を復調する。記憶装置３３は、画像データなどの各種のデータを記憶する。
【００２０】
次に、上記構成の作用を、場合に別けて説明する。
（１）プリント
まず、データ通信制御部３１に外部機器、例えば図５に示すパソコン３９を接続し、このパソコン３９で作成した文書や図形などを複写機でプリントする場合を図６のフローチャートをも参照して説明する。
【００２１】
データ通信制御部３１がプリント開始信号を受信すると、制御回路２９は、まずパソコン３９から送信されてくるデータを受信し（ステップＡ１）、その受信データ中にＲＦＩＤタグに書き込むデータが含まれているか否かを判断する（ステップＡ２）。ＲＦＩＤタグに書き込むデータが含まれていない場合（ステップＡ２で「ＮＯ」）には、制御回路２９は、自動給紙装置８を制御してトレー７のうち、ＲＦＩＤタグ１４のない通常の印字用紙が収納されているトレーを選択し、このトレーから通常の印字用紙を印字用紙送り通路９に送り出すようにする（ステップＡ６）。トレーから送り出された印字用紙は、印字用紙送り通路９中を送られて行く過程で、プリント部１１により文字や図形などが印字（プリント）される。そして、その印字用紙は印字用紙送り通路９から排出トレー１０に排出され、以上によりプリントルーチンはエンドとなる。
【００２２】
ところで、パソコン３９から送信されてきたデータ中にＲＦＩＤタグに書き込むデータが含まれている場合がある。例えば、ソフトウエアとそのマニュアルとは一体化されていた方が使い易いので、ＲＦＩＤタグ付き印字用紙１３を用い、ソフトウエアをＲＦＩＤタグ１４にデジタルデータとして書き込み、マニュアルを印字用紙１３にプリントすれば便利である。この場合には、パソコン３９でソフトウエアとマニュアルを作成し、そしてソフトウエアを構成するデータをＲＦＩＤタグ１４に書き込むデータとして、マニュアルを構成する文字データやグラフィックスデータと共に複写機に送信する。このとき、ソフトウエアを複製する権限を有する者を限定したい場合、複製できる人の範囲を特定するデータを許可情報（限定情報）としてＲＦＩＤタグ１４に書き込んでおく。
【００２３】
さて、上記のソフトウエアとマニュアルを構成するデータがパソコン３９から送信されてくると、そのデータ中にＲＦＩＤタグ１４に書き込むべきデータが含まれているので、制御回路２９は、ＲＦＩＤタグ付き印字用紙１３が収納されているトレーを選択し、このトレーからＲＦＩＤタグ付き印字用紙１３を印字用紙送り通路９に送り出すようにする（以上、ステップＡ２で「ＹＥＳ」、ステップＡ３）。そして、制御回路２９は、印字用紙送り通路９の第３のリーダライタ１７を制御して、ＲＦＩＤタグ１４にパソコン３９から送信されてきたソフトウエアのデジタルデータを書き込む（ステップＡ４）。その後、制御回路２９は、プリント部１１を制御し、パソコン３９から送信されてきた文字データやグラフィックスデータにより、ＲＦＩＤタグ付き印字用紙１３に文字や図形などを印字し（ステップＡ５）、エンドとなる。
【００２４】
（２）複写
複写機で複写する場合、操作部３４を操作して複写モードを選択し、原稿置き台３に原稿を置いてスタート操作を行う。すると、制御回路２９は、図７及び図８の複写ルーチンに入り、図示しない自動原稿送り装置を起動して原稿を原稿送り通路４に送り込み、その原稿に記載された文字や図形などをスキャナ６によって読み取る（ステップＢ１）。次に、制御回路２９は、原稿がＲＦＩＤタグ付きであるか否かを判断する。この判断は、原稿送り通路４の第１のリーダライタ１５をセンサーとして行われる。すなわち、制御回路２９は、原稿送り通路４の第１のリーダライタ１５を制御し、その送信アンテナ２５からマルチリード信号を発信する。なお、マルチリード信号とは、不特定のＲＦＩＤタグに対して発せられる読取信号である。
【００２５】
ＲＦＩＤタグは、マルチリード信号に対して応答信号を発信する。そこで、制御回路２９は、第１のリーダライタ１５がマルチリード信号を発信したにも拘らず、応答信号を受信しない場合、原稿にはＲＦＩＤタグが設けられていないと判断し（ステップＢ２で「ＮＯ」）、トレー７のうちから通常の印字用紙が収納されているトレーを選択し、自動給紙装置８を制御して当該トレーから通常の印字用紙を印字用紙送り通路９に送り出すようにする（ステップＢ３）。そして、制御回路２９は、プリント部１１を制御してＲＦＩＤタグ付き印字用紙１３にスキャナ６で読み取った文字や図形などを印字し、エンドとなる。
【００２６】
マルチリード信号の発信後、第１のリーダライタ１５の受信部２８が応答信号を受信した場合、制御回路２９は、原稿送り通路４を通る原稿がＲＦＩＤタグ付き印字用紙であると判断し（ステップＢ２で「ＹＥＳ」）、第１のリーダライタ１５を制御して原稿のＲＦＩＤタグからデータを読み取る（ステップＢ５）。
【００２７】
次いで、制御回路２９は、原稿のＲＦＩＤタグから読み取ったデータ中に許可情報（複写許可情報）があるか否かを判断する（ステップＢ６）。許可情報が含まれていなかった場合には、複写をする者を限定しないのであるから、制御回路２９は、ステップＢ６で「ＮＯ」と判断してステップＢ１０に移行し、トレー７のうちからＲＦＩＤタグ付き印字用紙１３が収納されているトレーを選択する。
【００２８】
一方、原稿のＲＦＩＤタグから読み取ったデータ中に許可情報が含まれていた場合、制御回路２９は、液晶表示器３５に「ＩＤ番号入力」の表示を出力する（ステップＢ７）。この表示を見て複写操作を行う者がＩＤ情報として自分のＩＤ番号を入力手段としての操作部３４から入力すると（ステップＢ８で「ＹＥＳ」）、制御回路２９は、入力されたＩＤ番号を記憶すると共に、そのＩＤ番号が許可情報によって複写を許可された者の中に入っているか否かを判断し、許可者でなかった場合（ステップＢ９で「ＮＯ」）、そこで複写ルーチンを中止し、エンドとなる。
【００２９】
複写の操作を行う者が複写を許可された者であった場合（ステップＢ９で「ＹＥＳ」）、制御回路２９は、次にトレー７のうちからＲＦＩＤタグ付き印字用紙１３が収納されているトレーを選択する（ステップＢ１０）。
【００３０】
以上のようにしてＲＦＩＤタグ付き印字用紙１３が収納されたトレーを選択した後、制御回路２９は、用紙センサーの出力により、そのトレー内にＲＦＩＤタグ付き印字用紙１３があるか否かを判断し（ステップＢ１１）、トレー内にＲＦＩＤタグ付き印字用紙１３があった場合、図示しない給紙装置を制御して当該トレーからＲＦＩＤタグ付き印字用紙１３を印字用紙送り通路９に送り出す（ステップＢ１１で「ＹＥＳ」、ステップＢ１２）。
【００３１】
次に、制御回路２９は、複写の操作を行う者のＩＤ番号を記憶しているか否かを判断し（ステップＢ１３）、ＩＤ番号を記憶していた場合には、第３のリーダライタ１７を制御して、複写用紙であるＲＦＩＤタグ付き印字用紙１３のＲＦＩＤタグ１４に、原稿のＲＦＩＤタグから読み取ったデータと上記ＩＤ番号とを書き込む（ステップＢ１３で「ＹＥＳ」、ステップＢ１４）。その後、制御回路２９は、プリント部１１を制御してＲＦＩＤタグ付き印字用紙１３に原稿から読み取った文字や図形などを印字し（複写：ステップＢ１５）、次いで、第２のリーダライタ１６を制御して原稿のＲＦＩＤタグ１４に操作者のＩＤ番号を書き込み（ステップＢ１６）、エンドとなる。
【００３２】
また、ＩＤ番号を記憶していなかった場合には、制御回路２９は、第３のリーダライタ１７を制御して、ＲＦＩＤタグ付き印字用紙１３のＲＦＩＤタグ１４に原稿のＲＦＩＤタグから読み取ったデータを書き込む（ステップＢ１３で「ＮＯ」、ステップＢ１７）。次いで、制御回路２９は、プリント部１１を制御してＲＦＩＤタグ付き印字用紙１３に原稿から読み取った文字や図形などを印字し（ステップＢ１８）、エンドとなる。
【００３３】
ところで、トレーのＲＦＩＤタグ付き印字用紙１３を使い尽くしてしまい、トレーに印字用紙１３がない場合がある。この場合には、制御回路２９は、別のトレーを選択して自動給紙装置８により通常の印字用紙を印字用紙送り通路９に送り出す（ステップＢ１１で「ＮＯ」、ステップＢ１９）。次に、制御回路２９は、複写の操作を行う者のＩＤ番号を記憶しているか否かを判断し（ステップＢ２０）、ＩＤ番号を記憶していた場合には、プリント部１１を制御して印字用紙に原稿から読み取った文字や図形などを所定の率で縮小して印字する（ステップＢ２０で「ＹＥＳ」、ステップＢ２１）。そして、制御回路２９は、プリント部１１を制御して、文字や図形などを縮小して印字することにより印字用紙に生じた空白部分に、ＲＦＩＤタグから読み取ったデータと上記ＩＤ番号をＱＲコード化して印字用紙に印字する（ステップＢ２２）。その後、制御回路２９は、前述したと同様にして、原稿のＲＦＩＤタグ１４に操作者のＩＤ番号を書き込み（ステップＢ１６）、エンドとなる。
【００３４】
ＩＤ番号を記憶していない場合には、制御回路２９は、プリント部１１を制御して、原稿から読み取った文字や図形などを印字用紙に縮小して印字し（ステップＢ２０で「ＮＯ」、ステップＢ２３）、次いで、ＲＦＩＤタグから読み取ったデータと上記ＩＤ番号をＱＲコード化して印字用紙に印字し（ステップＢ２４）、エンドとなる。
【００３５】
（３）ファクシミリ送信
ファクシミリ送信を行う場合には、操作者は、複写機をファクシミリモードに設定し、相手先のファクシミリ装置４０（図５参照）のファクシミリ番号を入力すると共に、原稿用紙を原稿置き台３にセットし、スタート操作をする。すると、制御回路２９は、図９のファクシミリ送信ルーチンに入り、自動原稿送り装置により原稿を原稿送り通路４に送ってその原稿の文字や図形などをスキャナ６によって読み取る（ステップＣ１）。次に、制御回路２９は、原稿送り通路４の第１のリーダライタ１５を制御してその送信アンテナ２５からマルチリード信号を発信し、原稿にＲＦＩＤタグが付いているか否かを判断する（ステップＣ２）。原稿にＲＦＩＤタグが設けられていない場合、制御回路２９は、原稿の文字や図形などをファクシミリ信号に変換して相手先のファクシミリ装置４０に送信し（ステップＣ２で「ＮＯ」、ステップＣ３）、エンドとなる。
【００３６】
原稿にＲＦＩＤタグが設けられている場合、制御回路２９は、原稿のＲＦＩＤタグからデータを読み取り（ステップＣ２で「ＹＥＳ」、ステップＣ４）、次いで、ＲＦＩＤタグ１４から読み取ったデータの中に許可情報（送信許可情報）があるか否かを判断する（ステップＣ５）。許可情報が含まれていなかった場合には、送信操作をする者の資格を限定しないのであるから、制御回路２９は、その後、直ちに文字や図形などのファクシミリ信号を送信する（ステップＣ５で「ＮＯ」、ステップＣ９）。
【００３７】
許可情報が含まれている場合、制御回路２９は、液晶表示器３５に「ＩＤ番号入力」の表示を出力する（ステップＣ５で「ＹＥＳ」、ステップＣ６）。この表示を見て操作者が自分のＩＤ番号を操作部３４から入力すると（ステップＣ７で「ＹＥＳ」）、制御回路２９は、次に、入力されたＩＤ番号を記憶すると共に、そのＩＤ番号が許可情報によってファクシミリ送信を許可された者の中に入っているか否かを判断し（ステップＣ８）、許可者でなかった場合、ファクシミリ送信ルーチンを中止し（ステップＣ８で「ＮＯ」）、エンドとなる。
【００３８】
ＩＤ番号を入力した者がファクシミリ送信を許可された者であった場合、制御回路２９は、文字や図形などのファクシミリ信号を送信する（ステップＣ８で「ＹＥＳ」、ステップＣ９）。
文字や図形などのファクシミリ信号を送信すると、制御回路２９は、次に送信操作した者のＩＤ番号を記憶しているか否かを判断し（ステップＣ１０）、ＩＤ番号を記憶していなかった場合、原稿のＲＦＩＤタグから読み取ったデータを送信し（ステップＣ１０で「ＮＯ」、ステップＣ１３）、エンドとなる。また、ＩＤ番号を記憶している場合には、制御回路２９は、原稿のＲＦＩＤタグから読み取ったデータおよび送信操作者のＩＤ番号を送信し（（ステップＣ１０で「ＹＥＳ」、ステップＣ１１）、その後、第２のリーダライタ１５を制御して、原稿のＲＦＩＤタグに送信操作者のＩＤ番号を書き込み（ステップＣ１２）、エンドとなる。
【００３９】
（４）ファクシミリ受信
網制御部３６に呼び出し信号が入ると、制御回路２９は、図１０のファクシミリ受信ルーチンを実行し、データを受信する（ステップＤ１）。次に、制御回路２９は、受信データ中にＲＦＩＤタグへの書き込みデータが存在するか否かを判断する（ステップＤ２）。ＲＦＩＤタグへの書き込みデータが存在しない場合、制御回路２９は、通常の印字用紙が収納されているトレーを選択し（ステップＤ２で「ＮＯ」、ステップＤ３）、給紙装置８を制御して当該トレーから通常の印字用紙を印字用紙送り通路９に送り出すようにする。そして、制御回路２９は、プリント部１１を制御して印字用紙に原稿の文字や図形などを再生（印字）し（ステップＤ４）、エンドとなる。
【００４０】
受信データ中にＲＦＩＤタグへの書き込みデータが存在する場合、制御回路２９は、ＲＦＩＤタグ付き印字用紙１３が収納されているトレーを選択し（ステップＤ２で「ＹＥＳ」、ステップＤ５）、次にトレー内にＲＦＩＤタグ付き印字用紙１３があるか否かを判断する（ステップＤ６）、トレー内にＲＦＩＤタグ付き印字用紙１３があった場合（ステップＤ６で「ＹＥＳ」）、給紙装置８を制御して当該トレーからＲＦＩＤタグ付き印字用紙１３を印字用紙送り通路９に送り出す（ステップＤ７）。
【００４１】
そして、制御回路２９は、第３のリーダライタ１７を制御してＲＦＩＤタグ付き印字用紙１３のＲＦＩＤタグ１４に、原稿のＲＦＩＤタグから読み取られたデータおよび送信操作者のＩＤ番号が存在する場合には当該ＩＤ番号を書き込み（ステップＤ８）、次いで印字用紙１３に原稿の文字や図形などを再生し（ステップＤ４）、エンドとなる。
【００４２】
トレー内にＲＦＩＤタグ付き印字用紙１３がなかった場合、制御回路２９は、通常の印字用紙を印字用紙送り通路９に送り出す（ステップＤ６で「ＮＯ」、ステップＤ９）。そして、制御回路２９は、プリント部１１を制御して印字用紙に原稿の文字や図形などを所定の率で縮小して再生し（ステップＤ１０）、次いで、原稿のＲＦＩＤタグ１４から読み取られたデータおよび送信操作者のＩＤ番号が存在する場合には当該ＩＤ番号をＱＲコードに変換し、文字や図形などを縮小して印字することによって生じた印字用紙の空白部にそのＱＲコードを印字し（ステップＤ１１）、エンドとなる。
【００４３】
このように本実施例によれば、印字用紙１３にＲＦＩＤタグ１４を設けたので、その印字用紙１３に、文字や図形などの視認情報とデジタル情報とを記録することができ、例えば、ソフトウエアとそのマニュアルのように、一体に扱うことが好ましい情報を記録するような場合に便利である。
【００４４】
また、ＲＦＩＤタグ付き印字用紙１３に記録された情報を複写したり、ファクシミリ送信する場合、ＲＦＩＤタグ１４に複製できる人の範囲を特定するデータを記録し、その複製を許可されない人が複写やファクシミリ送信の操作をしても、実際に複写やファクシミリ送信することができないようにしたので、機密保持の必要がある情報をＩＤタグ１４に記録するような場合、その機密保持を効果的に行うことができる。
【００４５】
しかも、複写やファクシミリ送信を実行すると、その操作者のＩＤ番号が原稿のＲＦＩＤタグに書き込まれるので、不正な複製を防止する効果があり、機密保持にとってより効果的となる。
【００４６】
また、本実施例では、ＲＦＩＤタグ付き印字用紙１３がトレーに収容されていない場合、ＲＦＩＤタグ１４に書き込むべき情報をＱＲコード化して印字するようにしたので、ＲＦＩＤタグ付き印字用紙１３がなくなったような場合に便利である。
【００４７】
なお、本発明は上記し且つ図面に示す実施例に限定されるものではなく、以下のような変更或いは拡張が可能である。
複写及びファクシミリ送信する場合には、常に操作者にＩＤ番号の入力を要求し、そのＩＤ番号を原稿のＲＦＩＤタグに書き込むようにしても良い。
操作者のＩＤ番号は原稿のＲＦＩＤタグだけに書き込むようにしても良い。
原稿のＲＦＩＤタグからデータを読み取るリーダライタと原稿のＲＦＩＤタグに操作者のＩＤ番号を書き込むリーダライタとを第１のリーダライタ１５で兼用しても良い。この場合、原稿は原稿送り通路４の途中で停止させ、操作者のＩＤ番号を書き込んだ後、原稿排出台５に送るように構成する。
本発明はプリンタ、複写機、ファクシミリ装置の単機能機に適用しても良い。
【図面の簡単な説明】
【００４８】
【図１】本発明の一実施例を示すＲＦＩＤタグ付き印字用紙の正面図
【図２】複写機の概略構成図
【図３】ＲＦＩＤタグの電気的構成を示すブロック図
【図４】リーダライタの電気的構成を示すブロック図
【図５】複写機の電気的構成を示すブロック図
【図６】プリンタモードでの制御内容を示すフローチャート
【図７】複写モードでの制御内容を示すフローチャートその１
【図８】複写モードでの制御内容を示すフローチャートその２
【図９】ファクシミリ送信モードでの制御内容を示すフローチャート
【図１０】ファクシミリ受信モードでの制御内容を示すフローチャート
【符号の説明】
【００４９】
図中、３は原稿置き台、４は原稿送り通路、５は原稿排出台、６はスキャナ、７はトレー、９は印字用紙送り通路、１１はプリンタ部、１３はＲＦＩＤタグ付き印字用紙、１４はＲＦＩＤタグ、１５は第１のリーダライタ（読取手段）、１６は第２のリーダライタ（書込手段）、１７は第３のリーダライタ（書込手段）、２９は制御回路である。
【図１】
2006306112.tif 000003
【図２】
2006306112.tif 000004
【図３】
2006306112.tif 000005
【図４】
2006306112.tif 000006
【図５】
2006306112.tif 000007
【図６】
2006306112.tif 000008
【図７】
2006306112.tif 000009
【図８】
2006306112.tif 000010
【図９】
2006306112.tif 000011
【図１０】
2006306112.tif 000012